(57)【要約】【課題】この発明は、表示された映像の色を簡単に、かつ好みに合わせて調整可能とした映像再生装置及び映像再生方法を提供する。【解決手段】  色調整モードが選択され、例えば手動調整が選択された場合には、領域指定操作（ポインター）により、表示画面の任意の色部分を指定し、指定した部分の色を調整する。この際、ポインターで指定した部分の画素を中心にその周辺部の画素の色データをも参照して指定した部分の色を特定することにより、カラー調整をより正確なものとすることができる。【選択図】    図１
2006173837.tif 000002
【特許請求の範囲】
【請求項１】
入力されたデジタル映像信号を再生し画面上に映像を表示する表示手段と、
前記デジタル映像信号の1画面分のデータを記憶可能なメモリと、
前記表示手段で表示された映像の任意の領域を指定するポインターと、
前記ポインターで指定した領域の画素及びそれに隣接する周辺画素を含む複数の画素の色データを前記メモリから読出して演算処理を行い、前記指定領域の画素の色を特定する演算処理部と、
前記演算処理部によって前記特定した色をユーザ調整により任意に変更する色変更部と、を具備し、前記色変換部で変更された色に基いて映像を表示することを特徴とする映像再生装置。
【請求項２】
前記ユーザによる色調整モードでは、前記表示手段に調整前の色と調整後の色を並べて表示する領域を設け、それぞれの表示領域に調整前と調整後の色を表示することを特徴とする請求項1記載の映像再生装置。
【請求項３】
前記ユーザによる色調整モードでは、前記表示手段での表示を静止画表示に設定する手段をさらに具備したことを特徴とする請求項1記載の映像再生装置。
【請求項４】
前記演算処理部は、前記複数の画素の色データをレベル順に並べたときの中央値を、前記指定領域の画素の色として特定することを特徴とする請求項1記載の映像再生装置。
【請求項５】
前記演算処理部は、前記複数の画素の色データを用いて、それらの平均値を前記指定領域の画素の色として特定することを特徴とする請求項1記載の映像再生装置。
【請求項６】
前記演算処理部は、前記複数の画素の内、前記ポインターで指定した領域の画素の色データに重みをつけて周辺画素の色データと加算し平均化した値を前記指定領域の画素の色として特定することを特徴とする請求項1記載の映像再生装置。
【請求項７】
入力されたデジタル映像信号を再生し画面上に映像を表示する表示手段を有し、
入力されたデジタル映像信号の1画面分のデータをメモリに記憶する工程と、
前記表示手段で表示された映像の任意の領域をポインターにて指定する工程と、
前記ポインターで指定した領域の画素及びそれに隣接する周辺画素を含む複数の画素の色データを前記メモリから読出して演算処理を行い、前記指定領域の画素の色を特定する工程と、
前記演算処理により特定した色をユーザ操作に応答して変更する工程とを備え、
前記変更された色に基いて映像を表示することを特徴とする映像再生方法。
【請求項８】
前記ユーザ操作に応答して色を変更する際に、前記表示手段に変更前の色と変更後の色を並べて表示する工程をさらに有することを特徴とする請求項７記載の映像再生方法。
【請求項９】
前記ユーザ操作に応答して色を変更する際に、前記表示手段での表示を静止画表示にする工程をさらに有することを特徴とする請求項７記載の映像再生方法。
【請求項１０】
前記演算処理は、前記複数の画素の色データをレベル順に並べたときの中央値を、前記指定領域の画素の色として特定することを特徴とする請求項７記載の映像再生方法。
【請求項１１】
前記演算処理は、前記複数の画素の色データを用いて、それらの平均値を前記指定領域の画素の色として特定することを特徴とする請求項７記載の映像再生方法。
【請求項１２】
前記演算処理は、前記複数の画素の内、前記ポインターで指定した領域の画素の色データに重みをつけて周辺画素の色データと加算し平均化した値を前記指定領域の画素の色として特定することを特徴とする請求項７記載の映像再生方法。
【発明の詳細な説明】
【技術分野】
【０００１】
この発明は、デジタルテレビ受信機等で受信処理した映像を表示するための映像再生装置及び映像再生方法に関し、表示映像の色を調整可能にしたものである。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
この場合、映像表示器（ディスプレイ）に設定されている色バランスによっては、画面に表示される映像が視聴者のイメージしている色彩と異なることがある。したがって、視聴者は表示された映像を見て不自然な色と感じてしまうことがある。このため、表示された映像の色を簡単に、かつ好みに合わせて調整可能にしたいという要望がある。
【０００５】
特許文献１には、テレビジョン受像機における色あい表示装置が記載されている。
【特許文献１】特許第２５５０９６３号
【発明の開示】
【発明が解決しようとする課題】
【０００６】
そこで、この発明は上記事情を考慮してなされたもので、表示された画面上の映像の色を簡単に、かつ好みに合わせて調整可能とした映像再生装置及び映像再生方法を提供することを目的とする。
【課題を解決するための手段】
【０００７】
この発明に係る映像再生装置は、入力されたデジタル映像信号を再生し画面上に映像を表示する表示手段と；前記デジタル映像信号の1画面分のデータを記憶可能なメモリと；
前記表示手段で表示された映像の任意の領域を指定するポインターと；前記ポインターで指定した領域の画素及びそれに隣接する周辺画素を含む複数の画素の色データを前記メモリから読出して演算処理を行い、前記指定領域の画素の色を特定する演算処理部と；前記演算処理部によって前記特定した色をユーザ調整により任意に変更する色変更部と；を具備し、前記色変換部で変更された色に基いて映像を表示することを特徴とする。
【０００８】
また、この発明に係る映像再生方法は、入力されたデジタル映像信号を再生し画面上に映像を表示する表示手段を有し、入力されたデジタル映像信号の1画面分のデータをメモリに記憶する工程と；前記表示手段で表示された映像の任意の領域をポインターにて指定する工程と；前記ポインターで指定した領域の画素及びそれに隣接する周辺画素を含む複数の画素の色データを前記メモリから読出して演算処理を行い、前記指定領域の画素の色を特定する工程と；前記演算処理により特定した色をユーザ操作に応答して変更する工程と；を備え、前記変更された色に基いて映像を表示することを特徴とする。
【発明の効果】
【０００９】
上記した発明によれば、任意の領域の色を手動で色調整する手動調整モードにおいて、  領域指定操作（ポインター）により、表示画面の任意の色部分を指定し、指定した部分の色を調整することができる。この際、ポインターで指定した部分の画素を中心にその周辺部の画素の色データをも参照して、指定した部分の色を特定することにより、カラー調整をより正確なものとすることができる。
【発明を実施するための最良の形態】
【００１０】
以下、この発明の実施の形態について図面を参照して詳細に説明する。
【実施例１】
【００１１】
図１は、本発明の映像表示装置として、例えばデジタルテレビジョン放送受信装置に適用した場合を示すブロック図である。図1は、デジタルテレビジョン放送受信装置１１の主要な信号処理系を示している。すなわち、デジタルテレビジョン放送受信装置１１は、外部入力端子１２，１３と、ディスプレイとしての映像表示器１４、及びスピーカ１５を備え、受信装置１１を操作するための操作部１６、リモートコントローラ１７を有し、このリモートコントローラ１７からのリモコン信号を受光部１８で受けるようにしている。
【００１２】
また、デジタルテレビジョン放送受信装置１１は、ＢＳ／ＣＳデジタル放送受信用のアンテナ２１で受信した衛星デジタルテレビジョン放送信号が入力端子２２を介して衛星デジタル放送用のチューナ２３に供給されることにより、所望のチャンネルの放送信号が選局される。そして、このチューナ２３で選局された放送信号は、ＰＳＫ（Phase Shift Keying）復調器２４に供給されて、デジタルの映像信号及び音声信号に復調された後、信号処理部２５に出力される。
【００１３】
また、地上波放送受信用のアンテナ２６で受信した地上デジタルテレビジョン放送信号は、入力端子２７を介して地上デジタル放送用のチューナ２８に供給されることにより、所望のチャンネルの放送信号が選局される。そして、このチューナ２８で選局された放送信号は、ＯＦＤＭ（Orthogonal Frequency Division Multiplexing）復調器２９に供給されて、デジタルの映像信号及び音声信号に復調された後、上記信号処理部２５に出力される。
【００１４】
また、上記地上波放送受信用のアンテナ２６で受信した地上アナログテレビジョン放送信号は、入力端子２７を介して地上アナログ放送用のチューナ３０に供給されることにより、所望のチャンネルの放送信号が選局される。そして、このチューナ３０で選局された放送信号は、アナログ復調器３１に供給されてアナログの映像信号及び音声信号に復調された後、上記信号処理部２５に出力される。
【００１５】
ここで、上記信号処理部２５は、ＰＳＫ復調器２４及びＯＦＤＭ復調器２９からそれぞれ供給されたデジタルの映像信号及び音声信号に対して、選択的に所定のデジタル信号処理を施し、グラフィック処理部３２及び音声処理部３３に出力している。
【００１６】
また、上記信号処理部２５には、複数（図示の場合は２つ）の入力端子１２，１３が接続されている。これら入力端子１２，１３は、それぞれ、アナログの映像信号及び音声信号を、デジタルテレビジョン放送受信装置１１の外部から入力可能とするものである。
【００１７】
そして、この信号処理部２５は、上記アナログ復調器３１及び各入力端子１２，１３からそれぞれ供給されたアナログの映像信号及び音声信号を選択的にデジタル化し、そのデジタル化されたＲＧＢ映像信号及び音声信号に対して所定のデジタル信号処理を施した後、グラフィック処理部３２及び音声処理部３３に出力している。
【００１８】
このうち、グラフィック処理部３２は、信号処理部２５から供給されるデジタルの映像信号に、ＯＳＤ（On Screen Display）信号生成部３４で生成されるＯＳＤ信号を重畳して出力する機能を有する。このグラフィック処理部３２は、信号処理部２５の出力映像信号と、ＯＳＤ信号生成部３４の出力ＯＳＤ信号とを選択的に出力すること、また、両出力をそれぞれ画面の半分を構成するように組み合わせて出力することができる。
【００１９】
そして、グラフィック処理部３２から出力されたデジタルの映像信号は、映像処理部３５に供給される。この映像処理部３５は、入力されたデジタルの映像信号を、前記映像表示器１４で表示可能なフォーマットサイズに変換したり、ズームや圧縮処理を行う。映像処理部３５からの出力映像信号は、次段のカラーコントロール回路１００によって表示色を任意に調整して、映像表示器１４に出力して映像表示させる。このカラーコントロール回路１００は、リモコン１７からの指示に応答して、制御部３６の制御の基に色調整が可能であり、自動色調整モードとユーザが好みによって調整する手動調整モードで動作可能である。
【００２０】
また、上記音声処理部３３は、入力されたデジタルの音声信号を、前記スピーカ１５で再生可能なアナログ音声信号に変換した後、スピーカ１５に出力して音声を再生させる。
【００２１】
ここで、このデジタルテレビジョン放送受信装置１１は、上記した各種の受信動作を含むその全ての動作を制御部３６によって統括的に制御されている。この制御部３６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００２２】
この場合、制御部３６は、主として、そのＣＰＵが実行する制御プログラムを格納したＲＯＭ（Read Only Memory）３７と、該ＣＰＵに作業エリアを提供するＲＡＭ（Random Access Memory）３８と、各種の設定情報及び制御情報等が格納される不揮発性メモリ３９とを利用している。
【００２３】
また、この制御部３６は、カードＩ／Ｆ（Interface）４０を介して、メモリカード（図示せず）が装着可能なカードホルダ４１に接続されている。これによって、制御部３６は、カードホルダ４１に装着されたメモリカードと、カードＩ／Ｆ４０を介して情報伝送を行なうことができる。
【００２４】
また、上記制御部３６は、通信Ｉ／Ｆ４３を介してＬＡＮ端子４２に接続されている。これにより、制御部３６は、ＬＡＮ端子４２に接続されたＬＡＮ対応のＨＤＤ（図示せず）と、通信Ｉ／Ｆ４３を介して情報伝送を行なうことができる。
【００２５】
さらに、上記制御部３６は、通信Ｉ／Ｆ４５を介してＬＡＮ端子４４に接続されている。これにより、制御部３６は、ＬＡＮ端子４４に接続された各機器と、通信Ｉ／Ｆ４５を介して情報伝送を行なうことができる。
【００２６】
また、上記制御部３６は、ＵＳＢ Ｉ／Ｆ４７を介して前記ＵＳＢ端子４６に接続されている。これにより、制御部３６は、ＵＳＢ端子４６に接続された各機器と、ＵＳＢ Ｉ／Ｆ４７を介して情報伝送を行なうことができる。
【００２７】
さらに、上記制御部３６は、ｉ．Link Ｉ／Ｆ４９を介してｉ．Link端子４８に接続されている。これにより、制御部３６は、ｉ．Link端子４８に接続された各機器と、ｉ．Link Ｉ／Ｆ４９を介して情報伝送を行なうことができる。
【００２８】
図２は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００２９】
以上のようにして映像表示器１４には受信した映像が再生表示されるが、表示された映像の色は、映像表示器１４に予め設定した色バランスで決まる。ここで、夏の青空、桜の色、雨が降った後の緑、といった、人が記憶の中で思い起こす色、すなわち「記憶色」が人間にとっての「自然色」であることが注目されつつある。この「記憶色」を画面上の映像に再現すれば、よりリアルな画像表示が可能となる。
【００３０】
そこで、本実施形態では、カラーコントロール回路１００において、記憶色を基準とした自動色調整、及びユーザが好みによって調整する手動色調整を可能としている。この色調整モードの処理手順について、図３に示すフローチャート及び図４の表示例を参照しながら説明する。
【００３１】
まず、リモートコントローラ１７のメニューキー１７ｐを操作して調整メニューを表示し、カーソルキー１７ｆを用いて色調整メニューを選択する（ステップＳ１ａ）。次に、自動で調整するか否かの選択を促し（ステップＳ１ｂ）、自動が選択された場合には、予め登録されている標準記憶色で画面全体を色調整する（ステップＳ１ｃ）。例えば、図４（ａ）に示すような青空が広がる草原の写真の場合には、より爽やかな青、より輝かしい緑といった、それぞれの記憶色にあった色調整を行う。また、図４（ｂ）に示すように、実際には白く見える桜の映像の場合には、桜色を強調して色鮮やかに再現するといった色調整を行う。このような色調整は、全体の色バランスを自動的に識別して、予め登録された標準記憶色が適用可能な領域を特定し調整するといった手法がとられる。
【００３２】
次に、微調整を行うか否かを選択させ（ステップＳ１ｄ）、行わないことが選択された場合には一連の処理を終了する。
【００３３】
上記ステップＳ１ｂで自動が選択されなかった場合、すなわち手動調整モードや、あるいはステップＳ１ｄで微調整が選択された場合、例えば図４（ｃ）に示すようにポインターｐが表示され、ユーザによる領域指定操作が成される（ステップＳ１ｅ）。これにより、表示画面は静止画となり、ユーザは、ポインターpで領域指定した部分の色（色あいや色の濃さを）を調整することが可能となる（ステップＳ１ｆ）。尚、ポインターpは、例えば十字マークを表示するもので、その十字の中心部に合致した位置の色をユーザが調整可能となる。
【００３４】
ここで、各色の色合いや濃さが調整されるが、オリジナルの画像からどの程度変化したのか把握が困難である。そこで、本実施形態では、図４（ｃ）に示すように、表示領域の一部に指定領域のオリジナル色と調整後の色とを並べて表示し、常に調整前後の色を比較できるようにしている。これにより、色の変化量を直感的に判断することが可能となり、色調整を簡単に行えるようになる。
【００３５】
指定した領域の色調整が完了した場合には（ステップＳ１ｇ）、他に色調整部分があるか判断し（ステップＳ１ｈ）、他に指定された場合にはステップＳ１ｅに戻って処理を続け、他に指定がなければ一連の処理を終了する。こうしてユーザ調整によるカラーバランスの調整ができる。上記のような色調整方法を以下、カラーパレットコントロール機能ということにする。
【００３６】
カラーパレットコントロール機能は、表示されている映像の任意の部分を指定して色の濃さと色相を調整し任意の色に変換する機能と、調整時に画面を静止させる機能と、ポインターpで調整したい色（場所）を特定する機能、及び調整する前の色（元色）と調整後の色を画面上（図中右上）に表示する機能を有している。
【００３７】
図５は、カラーパレットコントロール時のユーザの手助けを行う画面表示例を示している。図４（ｃ）で説明したように、表示色を変更したい領域をポインターｐによって指定し、例えば指定した部分の色が緑色であった場合、もっと濃い緑色にしたい場合にはカーソルキー１７ｆで調整することで色の濃さを調整でき、元の色と調整後の色が並べて表示され、決定キー１７ｇを押すことで表示される画面の緑の色はユーザの調整した緑色で再現されることになる。
【００３８】
即ち、先ずメニューキー１７ｐにより調整項目を表示し、図５（ａ）に示すような映像設定メニューが表示される。そのメニュー項目の中からカーソルキー１７ｆによってカラーマネージメントの項目を選択する。
【００３９】
これにより、映像再生装置では、図５（ｂ）で示すようにカラーマネージメントの項目が表示される。カラーマネージメント処理のメニューは、例えば、任意独立色コントロールモード、６色独立コントロールモード、初期設定に戻すモードを備える。
【００４０】
ここで、カーソルキー１７ｆにより、図５（ｃ）で示すように任意独立色コントロールモードが選択されると、図５（ｄ）に示すように画面上にポインターｐが表示され、色調整モードになる。この場合、表示された画像が動画の場合、どの部分の色を調整しようとしているのか、分かりにくくなるため、例えばリモコンのキー１７ｍ(黄)を操作することにより静止画表示とすることができる。
【００４１】
その後、カーソルキー１７ｆでポインターｐを任意の場所に移動して決定キーを押すことで色を変更したい領域を指定する。そしてカーソルキー１７ｆで指定した部分の色を調整することで画面上には調整前の色と調整後の色が並べて表示されるようになる。例えば指定した部分の色が緑色であり、もっと濃い緑色に調整した場合、決定キー１７ｇを押すことで表示される画面の緑の色はユーザの調整した濃い緑色で再現されることになる。
【００４２】
尚、図のメニュー画面で６色独立コントロールモードが選択された場合には、図６で示すように予め選ばれた６色のうち、任意の色をユーザが調整可能となる。
【００４３】
ところで、上記したようにユーザが任意の領域を指定して色を調整する場合、ポインターｐで指す部分の画素が１画素のみであると、ユーザが意図した部分と異なる部分を指定する可能性があり、指定した領域が意図したものと異なってしまい、異なる色を調整してしまうことがある。
【００４４】
そこで、本発明のカラーコントロール回路１００には、ポインターｐが指す位置の画素を中心に、その周辺部の複数画素の色データをもとに、演算処理を行い、調整したい領域の色と合致した色を選定可能にしている。図７は、上記カラーコントロール回路１００の一例を示すブロック図である。
【００４５】
図７において、１０１は映像処理部５８からのデジタル映像信号が入力される入力端子であり、このデジタル映像信号は、フィールドメモリ１０２に供給され、１フィールド分（１画面分）ずつこのメモリ１０２に書き込まれる。また、リモコン１７は、フィールドメモリ１０２のアドレスを前述したポインターｐで指定することにより、所定の領域を指示することができ、ポインターｐの位置をユーザが任意に変更できるようにしている。
【００４６】
１０３は位置検出回路であり、画面上に表示されたポインターｐの位置を検出するもので、ポインターｐが指定したフィールドメモリ１０２のアドレスを基に位置検出を行う。また、１０４は演算処理部であり、ポインターｐが指定した画素、及びその周辺部の複数の画素の色データを元に演算処理を行い、調整したい領域の色を特定するものである。
【００４７】
さらに１０５は、色変更回路であり、前記演算処理部１０４によって特定された色をユーザの設定に合わせて変更調整するものであり、ユーザによって調整された色の映像信号を出力端子１０６から出力する。尚、実際にはＲ，Ｇ，Ｂ毎に同様の演算処理部が設けられているが、図７では、いずれか１つを代表的に示している。
【００４８】
図８は、前記演算処理部１０４での演算処理を説明する図であり、ポインターｐで指定した画素を斜線で示し、その画素に隣接して上下・左右、斜め方向に複数（８つ）の画素が隣接している状態を示している。尚、各画素に記した数値は、各画素の色データが１から１０の数値レベルで表されたときのレベルを例示したものであり、ポインターｐで指定した画素の色レベルが５であり、その周辺画素の色レベルが８である場合を示している。
【００４９】
演算処理部１０４では、例えば９つの画素の色レベルを小さいレベルから大きいレベルに順に並べたときのメジアン値（中央値）を、ポインターｐで指定した領域の色レベルとして特定する（この場合色レベルは８となる）。或いは、９つの画素の平均値をとり、ポインターｐで指定した領域の色レベルを７．７と特定する。また、９つの画素の内、中央の画素（ポインターｐで指定した画素）に重みをつけて周辺画素と加算してフィルタリング（平均化）して色レベルを特定しても良い。
【実施例２】
【００５０】
図９は演算処理部１０４をハード的な回路で構成した場合のブロック図を示している。この例では、入力映像信号をラインメモリ２０１、２０２によって１ラインずつ遅延した信号を得、入力映像信号をラッチ回路２０３，２０４の直列回路に供給し、ラインメモリ２０１及び２０２の出力を同様に、ラッチ回路２０５，２０６の直列回路と、ラッチ回路２０７，２０８の直列回路に供給し、ラインメモリ２０１，２０２及びラッチ回路２０３〜２０８の各入・出力ポイントＡ１〜Ａ９の信号を演算回路２０９に供給し、演算回路２０９で平均化等の演算処理を行い、色レベルを特定するようにしたものである。この図９の場合、各ラッチ回路２０３〜２０８は、１画素分の遅延量を有し、ポイントＡ５の色レベルが中心画素の色レベルである。尚、実際にはＲ，Ｇ，Ｂ毎に同様の演算処理部が設けられているが、図９では、いずれか１つを代表的に示している。
【００５１】
このように、本発明の実施形態によれば、ユーザが任意の領域を指定して色を調整する場合、ポインターｐで指す部分の画素が１画素のみであると、ユーザが意図した部分とずれた部分を指定する可能性があるが、周辺部の画素の色データをも参照して、指定した領域の色を特定するため、ユーザが意図したものと異なる色を調整するということがなくなり、調整したい領域の色と合致した色を選定することができる。
【００５２】
なお、この発明は上記した実施の形態そのままに限定されるものではなく、その要旨を逸脱しない範囲で構成要素を種々変形して具体化することができる。
【図面の簡単な説明】
【００５３】
【図１】本発明の映像表示装置の一実施形態を示すもので、デジタルテレビジョン放送受信装置の一例を示すブロック図。
【図２】同実施形態におけるデジタルテレビジョン放送受信装置のリモートコントローラを説明するために示す外観図。
【図３】同実施形態におけるデジタルテレビジョン放送受信装置の色調整モードの処理手順を示すフローチャート。
【図４】同実施形態における色調整モードの処理における画面表示例を示す図。
【図５】同実施形態の手動による色調整モードでの画面表示例を示す図。
【図６】同実施形態の色調整の他の画面表示例を示す図。
【図７】同実施形態に使用されるカラーコントロール回路の一例を示すブロック図。
【図８】同実施形態におけるカラーコントロール回路の動作を説明する説明図。
【図９】カラーコントロール回路の別の実施例を示すブロック図。
【符号の説明】
【００５４】
１１…デジタルテレビジョン放送受信装置
１２，１３…外部入力端子
１４…映像表示器
１５…スピーカ
１６…操作部
１７…リモートコントローラ
１８…受光部
２１，２６…アンテナ
２３，２８，３０…チューナ
２４…ＰＳＫ復調器
２５…信号処理部
２９…ＯＦＤＭ復調器
３１…アナログ復調器
３２…グラフィック処理部
３３…音声処理部
３４…ＯＳＤ信号生成部
３５…映像処理部
３６…制御部
３７…ＲＯＭ
３８…ＲＡＭ
３９…不揮発性メモリ
１００…カラーコントロール回路
１０２…メモリ
１０３…位置検出回路
１０４…演算処理回路
１０５…色変更回路
ｐ…ポインター
【図１】
2006173837.tif 000003
【図２】
2006173837.tif 000004
【図３】
2006173837.tif 000005
【図４】
2006173837.tif 000006
【図５】
2006173837.tif 000007
【図６】
2006173837.tif 000008
【図７】
2006173837.tif 000009
【図８】
2006173837.tif 000010
【図９】
2006173837.tif 000011